(57)【要約】【課題】  安価であり、しかも、確実な配管接続構造を簡単に構成できるクイックコネクタを提供する。【解決手段】リテーナー５をリテーナー取り付け部２５内に嵌め込み、挿入位置に配置する。リテーナー取り付け部２５の軸方向他方側壁部の挿入孔からパイプ体８１を挿入する。パイプ体８１の環状係合突部８３が、脚部７５を外側に開き変形させながら接続位置まで進行すると、リテーナー５が、リテーナー取り付け部５内に自動的に埋没するように径方向に変位し、環状係合突部８３とスナップ係合して係合位置に配置されるように構成しておく。【選択図】    図６
2006316944.tif 000002
【特許請求の範囲】
【請求項１】
軸方向一方側にチューブ接続部が形成され、軸方向他方側にリテーナー取り付け部が設けられたコネクタハウジングと、前記コネクタハウジングに挿入されたパイプ体に形成されている環状係合突部が接続位置に達したときに、この環状係合突部とスナップ係合する、前記リテーナー取り付け部に取り付けられたリテーナーと、を具備するクイックコネクタであって、
前記リテーナー取り付け部は、第１の位置決め係合部及び第２の位置決め係合部を備え、
前記リテーナーは、位置決めストッパ部がそれぞれ形成された一対の脚部を幅方向両側に有するリテーナー本体を備え、
前記リテーナー取り付け部及び前記リテーナーの間には、あるいは、前記リテーナーには、前記リテーナー本体を径方向に移動させる移動手段が設けられていて、
前記位置決めストッパ部は、前記第１の位置決め係合部を幅方向両側から挟み付けてこの第１の位置決め係合部と係合することにより、前記リテーナー本体を挿入位置に位置決めし、また、前記第２の位置決め係合部を幅方向両側から挟み付けてこの第２の位置決め係合部と係合することにより、前記リテーナー本体を、前記挿入位置と径方向に離れた係合位置に位置決めするように構成され、
前記リテーナー本体が前記挿入位置に位置決めされているときに、前記パイプ体を前記コネクタハウジング内に挿入すると、前記環状係合突部が一対の前記脚部を外側に押し広げながら進行して、前記位置決めストッパ部と前記第１の位置決め係合部との係合を解除させ、
前記パイプ体の前記環状係合突部が前記接続位置に達すると、前記移動手段により前記リテーナー本体が前記係合位置に自動的に移動し、このリテーナー本体と前記環状係合突部とが抜け止め係合し、かつ、前記位置決めストッパ部と前記第２の位置決め係合部とが位置決め係合する、ことを特徴とするクイックコネクタ。
【請求項２】
前記リテーナー本体は、Ｕ字状又はコ字状に形成されている、ことを特徴とする請求項１記載のクイックコネクタ。
【請求項３】
前記リテーナー本体は、パイプ体係合部を有し、このパイプ体係合部の幅方向両側に、一対の前記脚部が一体的に設けられている、ことを特徴とする請求項１又は２記載のクイックコネクタ。
【請求項４】
前記リテーナー本体は、前記挿入位置では、前記リテーナー取り付け部から外側に突出し、前記係合位置では、前記リテーナー取り付け部から外側への突出量を変化させている、ことを特徴とする請求項１、２又は３記載のクイックコネクタ。
【請求項５】
前記リテーナー本体は、前記係合位置では、前記リテーナー取り付け部内に埋没している、ことを特徴とする請求項４記載のクイックコネクタ。
【請求項６】
前記移動手段は、前記リテーナー本体を径方向に付勢するバネ部材を有している、ことを特徴とする請求項１、２、３、４又は５記載のクイックコネクタ。
【請求項７】
前記バネ部材は、一対の前記脚部が前記パイプ体の前記環状係合突部により外側に押し広げられたときに、この脚部に押されて変形し、前記リテーナー本体に径方向へのバネ力を作用させる、ことを特徴とする請求項６記載のクイックコネクタ。
【請求項８】
前記バネ部材は、前記リテーナー本体に設けられている、ことを特徴とする請求項６又は７記載のクイックコネクタ。
【請求項９】
前記バネ部材は、前記リテーナー取り付け部に設けられている、ことを特徴とする請求項６又は７記載のクイックコネクタ。
【発明の詳細な説明】
【技術分野】
【０００１】
本発明は、例えば自動車のガソリン燃料配管の接続に用いられるクイックコネクタに関し、より詳しくは、パイプ体が正常に嵌合して接続されていることを確認する接続確認機能を有するクイックコネクタに関する。
【背景技術】
【０００２】
ガソリン燃料配管などの流体配管の接続に用いられるコネクタとパイプ体との接続は、パイプ体の挿入側外周面に環状係合突部を形成して挿入端部を構成しておき、この環状係合突部がコネクタに設けられたリテーナーとスナップ係合するように、パイプ体の挿入端部をコネクタに相対的に挿入してパイプ体とコネクタとを抜け止め状態とすることにより行われる。このように使用されるコネクタあるいはクイックコネクタは、軸方向一方側にチューブ接続部が形成され、軸方向他方側にリテーナー取り付け部を有する筒状のコネクタハウジングと、このコネクタハウジングのリテーナー取り付け部に取り付けられたリテーナーと、から形成され、コネクタハウジングの軸方向他端開口又は開孔からコネクタ又はコネクタハウジングにパイプ体の挿入端部が挿入され、パイプ体の環状係合突部がリテーナーを変形させながら進行し、そして、環状係合突部がリテーナーを通過したり、リテーナーに設けられた係合スリットなどの係合部に到達したりすると、すなわち、環状係合突部が接続位置に達すると、リテーナーが弾性復帰力により、例えば変形前の状態に復帰して、環状係合突部とスナップ係合（抜け止め係合）するように構成されている。
【０００３】
したがって、こういったクイックコネクタでは、十分に注意して接続作業を行わないと、コネクタハウジングのリテーナー取り付け部内にパイプ体の挿入端部が十分挿入されていないといった事態、すなわち環状係合突部がリテーナーを通過していなかったり、リテーナーの係合部に到達していない、いわゆる半嵌合状態が生じてしまう可能性がある。クイックコネクタとパイプ体とが半嵌合状態のまま配管接続構造が使用されれば、使用中にパイプ体の挿入端部が、コネクタハウジングとパイプ体との間を密封しているシール部材位置まで後退、すなわち軸方向他方側に移動してコネクタハウジングとパイプ体との間の密封が不十分となり、その結果、流体が漏出してしまうおそれがある。  
【０００４】
そこで、クイックコネクタとパイプ体との嵌合状態を確認するための接続確認手段が必要となるが、このような接続確認手段としては、予めコネクタハウジングに取り付けられていて、パイプ体がコネクタハウジングに正常に嵌合し又は接続されたときに、コネクタハウジングから取り外すことができるように構成されたチェッカーが知られている。しかしながら、このような接続確認手段では、一度しかパイプ体の接続確認を行うことができない。そこで、パイプ体を引き抜き、再び接続するたびに接続確認を行うことができるように構成したダブルロックタイプの接続確認手段も用いられている（例えば特許文献１参照）。ここでは、パイプ体をコネクタハウジングに挿入してから、リテーナーをコネクタハウジングに取り付けるようになっていて、パイプ体が半嵌合状態のときには、環状係合突部が邪魔をしてリテーナーをコネクタハウジングに取り付けることができないように構成されている。
【０００５】
【特許文献１】特開２００２−２７６８７８号公報
【発明の開示】
【発明が解決しようとする課題】
【０００６】
そして、このような接続確認手段を用いれば、パイプ体を引き抜き、再び接続するたびに、リテーナーをコネクタハウジングに取り付ける必要があるので、パイプ体の半嵌合状態を常に検出することが可能となる。しかも、リテーナー自体に接続確認機能を持たせているので、リテーナーと接続確認具とを別々に構成する場合と比較して安価にコネクタを提供できるという利点もある。
【０００７】
しかしながら、この場合には、コネクタはクイックコネクタとして構成されていないので、パイプ体をコネクタハウジングに接続する場合に、コネクタハウジング内へのパイプ体の挿入と、コネクタハウジングへのリテーナーの取り付けといった２つの煩わしい作業が必要となり、パイプ体の接続作業が煩雑である。しかも、リテーナーの取り付けといった後の作業を忘れて配管接続作業を終了してしまうおそれもないわけではない。したがって、特許文献１に記載されたような構成のクイックコネクタでは、確実な配管接続に対する高い信頼性を得ることは難しい。
【０００８】
そこで本発明は、安価であり、しかも、確実な配管接続構造を簡単に構成できるクイックコネクタの提供を目的とする。
【課題を解決するための手段】
【０００９】
この目的を達成するための本発明のクイックコネクタは、軸方向一方側にチューブ接続部が形成され、軸方向他方側にリテーナー取り付け部が設けられたコネクタハウジングと、前記コネクタハウジングに挿入されたパイプ体に形成されている環状係合突部が接続位置（パイプ体の正常な接続時に環状係合突部が到達すべき位置又は軸方向位置）に達したときに、この環状係合突部とスナップ係合（リテーナー等の弾性復帰力あるいはバネ力を利用した係合）する、前記リテーナー取り付け部に取り付けられたリテーナーと、を具備するクイックコネクタであって、前記リテーナー取り付け部は、第１の位置決め係合部及び第２の位置決め係合部を備え、前記リテーナーは、位置決めストッパ部がそれぞれ形成された一対の脚部を幅方向両側に有するリテーナー本体を備え、前記リテーナー取り付け部及び前記リテーナーの間には、あるいは、前記リテーナーには、前記リテーナー本体を径方向に移動させる（すなわち、挿入位置から係合位置に移動させる）移動手段が設けられていて、前記位置決めストッパ部は、前記第１の位置決め係合部を幅方向両側から挟み付けてあるいは挟んでこの第１の位置決め係合部と係合することにより、前記リテーナー本体を挿入位置に位置決めし、また、前記第２の位置決め係合部を幅方向両側から挟み付けてあるいは挟んでこの第２の位置決め係合部と係合することにより、前記リテーナー本体を、前記挿入位置と径方向に離れた係合位置に位置決めするように構成され、前記リテーナー本体が前記挿入位置に位置決めされているときに、前記パイプ体を前記コネクタハウジング内に挿入すると、前記環状係合突部が一対の前記脚部を外側に押し広げながら進行して、前記位置決めストッパ部と前記第１の位置決め係合部との係合を解除させ、前記パイプ体の前記環状係合突部が前記接続位置に達すると、前記移動手段により前記リテーナー本体が前記係合位置に自動的に移動し、このリテーナー本体と前記環状係合突部とが抜け止め係合し、かつ、前記位置決めストッパ部と前記第２の位置決め係合部とが位置決め係合するものである。ここでは、パイプ体をコネクタハウジング内に挿入し、リテーナー又はリテーナー本体の径方向の動きあるいは径方向の位置変化を確認することにより、接続確認をも含めてパイプ体の挿入接続作業を完了することができる。リテーナー又はリテーナー本体が挿入位置にとどまっていれば、パイプ体の挿入は正常に行われていないので、再度、パイプ体を挿入し直す。リテーナー又はリテーナー本体が係合位置に変位していれば、パイプ体の挿入が正常に行われていることとなる。パイプ体をコネクタハウジングから引き抜くには、例えば、位置決めストッパ部と第２の位置決め係合部との係合を解除し、リテーナーを挿入位置に戻せばよい。また、リテーナーをリテーナー取り付け部から取り外してもよい。そして、パイプ体をコネクタハウジングに再び挿入接続するときには、例えば、リテーナー又はリテーナー本体を挿入位置でリテーナー取り付け部に保持し又は取り付けておく。このようにして、パイプ体の挿入接続のたびに、接続確認を行うことができる。リテーナー又はリテーナー本体は、例えば、リテーナー取り付け部内に、径方向に移動可能な状態で配置される。ここでは、別部材のチェッカーあるいは接続確認具を用いる必要がないので、部品点数を削減したり、リテーナー取り付け部の軸方向長さを短く設定したりできる。リテーナー本体又はリテーナーは、Ｕ字状又はコ字状に形成することができる。また、パイプ体係合部の幅方向両側に一対の脚部を一体的に設けて構成することもできる。リテーナー本体又はリテーナーが係合位置に移動したときには、パイプ体係合部がパイプ体の環状係合突部と抜け止め係合することとなる。
【００１０】
パイプ体の接続状態をはっきりと確認できるように、リテーナー本体を、挿入位置で、リテーナー取り付け部から外側に突出させておき、係合位置では、リテーナー取り付け部から外側へのリテーナー本体の突出量が変化するように構成してもよい。パイプ体の接続状態をよりはっきりと確認できるように、リテーナー本体を、係合位置で、リテーナー取り付け部内に埋没させることができる。このように構成することにより、リテーナーがリテーナー取り付け部によって保護されるので、リテーナーが外的衝撃によって破損し、パイプ体が抜けてしまうといったことが防止される。
【００１１】
移動手段は、リテーナー本体を径方向に付勢するバネ部材を有することができる。この場合には、バネ部材を、一対の脚部がパイプ体の環状係合突部により外側に押し広げられたときに、この脚部に押されて変形し、リテーナー本体に径方向へのバネ力を作用させる、といったように構成できる。また、バネ部材は、リテーナー又はリテーナー本体に設けることができるが、リテーナー取り付け部に設けることも可能である。
【発明の効果】
【００１２】
以上説明したように、本発明のクイックコネクタを用いれば、パイプ体を挿入
するときに、同時に、パイプ体の接続状態もあわせて確認することができる。
【発明を実施するための最良の形態】
【００１３】
以下、本発明の実施の形態を図面を参照して説明する。
【００１４】
図１は本発明に係るクイックコネクタの分解斜視図、図２はコネクタハウジングの断面図、図３はクイックコネクタの断面図、図４はクイックコネクタ及びパイプ体を接続した状態の断面図である。
【００１５】
クイックコネクタ１は、自動車のガソリン燃料配管の接続に使用されるものであり、概略的には筒状のコネクタハウジング３と、比較的厚肉のＵ字状に形成されたリテーナー５と、シール部材７と、を備えて構成されている。コネクタハウジング３はガラス繊維強化ポリアミド（ＰＡ・ＧＦ）を素材として形成され、軸方向一方側の円筒状の樹脂チューブ接続部９と、軸方向他方側のパイプ挿入部１１とから一体的に構成され、軸方向一端から軸方向他端に貫通する貫通孔１３を有している。樹脂チューブ接続部９は、外周面が軸方向他方側に向かって概ね緩やかに拡径する（軸方向中間に同径部を有している）軸方向一方側部１５と、軸方向一方側部１５の軸方向他方側で概略的には円筒状外面として延びている外周面に、断面四角形状の抜け止め環状突出部１７及び軸方向他方側に向かって拡径する断面直角三角形状の２本の抜け止め環状突出部１９、１９が、軸方向一方側から軸方向他方側に向かって順次、軸方向に間隔を有して形成された軸方向他方側部２１とから構成され、外周又は外周面に樹脂チューブがきつく嵌め付けられて接続される。軸方向他方側部２１の軸方向一端外周面２３（軸方向一方側部１５と抜け止め環状突出部１７との間）は小径にあるいは比較的深い環状溝として形成されていて、樹脂チューブを嵌め付けるに際してこの軸方向一端外周面２３にシールリング（図示せず）を配置しておく。
【００１６】
コネクタハウジング３のパイプ挿入部１１は、軸方向他方側の中空直方体状のリテーナー取り付け部２５と、リテーナー取り付け部２５の幅よりも多少小さい外径の中間のシール保持部２７と、シール保持部２７よりも小径の軸方向一方側の連絡部２９と、から一体的に構成されている。シール保持部２７の内周面の軸方向一方側には、軸方向一方側の第１のＯリング３１と軸方向他方側の第２のＯリング３３とがカラー３５を介して、すなわち軸方向に間隔を有して並んで嵌められ、シール保持部２７の内周面の軸方向他方側には、連絡部２９の内径とほぼ等しい内径を有する、短い筒状の樹脂ブッシュ３７が嵌め付けられているが、樹脂ブッシュ３７は、外周面の軸方向他端部及び中間部にそれぞれ、多少径方向外側に突出する環状突出部３９、４１を一体的に備えている。シール保持部２７の内周面の軸方向他端部（より詳しくは、シール保持部２７の内周面の軸方向他端部及び連絡孔４７の内周面）は、樹脂ブッシュ３７の外周面形状に対応する形状を有していて、樹脂ブッシュ３７は、軸方向他方側の環状端面４３が、リテーナー取り付け部２５の軸方向一方側壁部４５の内面と共面状態となるように、シール保持部２７内及び軸方向一方側壁部４５に設けられたシール保持部２７との連絡孔４７に嵌め付けられている。第１のＯリング３１及び第２のＯリング３３は、シール保持部２７の内側の軸方向一端に形成されている環状の段差面４９と樹脂ブッシュ３７とに挟まれて軸方向に位置決めされていて、第１のＯリング３１は、例えば防水・防塵性に優れ、高い耐ガソリン性及び耐オゾン性を有するフッ素ゴム（ＦＫＭ）によって形成され、第２のＯリング３３は、例えば防水・防塵性に優れ、高い耐低温性及び耐オゾン性を有するフロロシリコーンゴム（ＦＶＭＱ）によって形成されている。
【００１７】
パイプ挿入部１１の直方体状のリテーナー取り付け部２５は、シール保持部２７が接続形成されている軸方向一方側壁部４５の幅方向両側（径方向両側）に一体的に形成された一対の側壁部５１、５１と、一対の側壁部５１、５１の軸方向他端に一体的に形成された軸方向他方側壁部５３と、から形成されていて、上面（側壁部５１、５１の間の径方向一方側面）及び下面（側壁部５１、５１の間の径方向他方側面）開口の中空体として構成されている。軸方向他方側壁部５３には、軸方向一方側壁部４５の連絡孔４７とほぼ同一径（あるいは、例えば連絡孔４７よりも若干大きい径）の挿入孔５５が連絡孔４７と共軸状態で形成されていて、挿入孔５５の下側から軸方向他方側壁部５３の下端にかけての部分は切除されている。また、それぞれの側壁部５１の内面には、軸方向一方側に、上端部から下端にかけてガイド溝５７が形成されていて、ガイド溝５７の上端には支持段部５９が設けられている。
【００１８】
リテーナー取り付け部２５の軸方向一方側壁部４５の内面には、連絡孔４７の下側で、かつ、幅方向中央位置で、軸方向他方側に延びるように、位置決め係合部材６１が一体的に設けられていて、この位置決め係合部材６１の軸方向他端部は、挿入孔５５の下側の切除部分に入り込んでいる。位置決め係合部材６１は、断面概略長方形体（上下方向に長い長方形体）に対して、上端部の幅方向両側で、側方に張り出す一対の第１突部６３、６３を形成し、第１突部６３、６３の下側、かつ、幅方向両側で、側方に突出する一対の突起状部６５、６５を形成し、そして、下端側部の幅方向両側で、側方に張り出す一対の第２突部６７、６７を形成した形状に構成されていて、突起状部６５から第２突部６７にかけての両側面は、下側に向かって内側に傾斜している（第２突部６７近くの側面はそれぞれ垂直方向に延びている）。位置決め係合部材６１は、第１突部６３、６３箇所（上端部）を第１の位置決め係合部６９として構成し、第２突部６７、６７箇所（下端部）を第２の位置決め係合部７１として構成している（図５も参照）。
【００１９】
リテーナー取り付け部２５内にはＰＡ製のリテーナー５が収容されて嵌め付けられていて、このリテーナー５は、比較的柔軟であり、弾性変形可能なように構成されている。リテーナー５は、パイプ体係合部７３と、このパイプ体係合部７３（外壁部８５を除いたパイプ体係合部７３：パイプ体係合部本体）の幅方向両側、幅方向両端側あるいは両端部に一体的に形成された一対の脚部７５、７５と、から構成されたリテーナー本体７７を有し、リテーナー本体７７の側端あるいは側面はそれぞれ、垂直方向に延びていて、それぞれの脚部７５の先端には内向きフック７９が一体的に設けられている。脚部７５の先端部とフック７９は位置決めストッパ部を構成している。パイプ体係合部７３は、パイプ体８１の外径とほぼ同一の内径を有するように、ほぼ半環状に形成され、このパイプ体係合部７３には、軸方向一方側面の外周に、パイプ体８１の環状係合突部８３の外径よりも大きな内径を有する概略半円状の外壁部８５が軸方向一方側に突出して一体的に形成されているが、この外壁部８５の幅方向中間部では軸方向一方側から深い切り欠きが形成されている。なお、パイプ体係合部７３の軸方向一方側面の内周縁部には、軸方向一方側にわずかに突出する半円状の内側突出部８７が一体的に形成されている。また、パイプ体係合部７３の内面には、幅方向中央でスリット８９が形成されていて、リテーナー５又はパイプ体係合部７３は幅方向に開き変形しやすくなっている。スリット８９は、内側突出部８７（パイプ体８１の外径とほぼ同一の内径を有し、パイプ体係合部７３の内面と同一内径に形成されている）を2つに分断している。
【００２０】
一対の脚部７５、７５はそれぞれ、パイプ体８１の環状係合突部８３の外径とほぼ等しい曲率又は径で湾曲する内面を有し、環状係合突部８３を通過させることができるように配置されているが（リテーナー本体７７の内側を環状係合突部８３が通過できるようになっている）、それぞれの脚部７５の先端側部（下端側部）の軸方向一方側には、軸方向一方側に突出するように変形部９１が形成されていて、この変形部９１の内面は、軸方向一方側に向かって漸次内側に傾斜あるいは湾曲するように形成されている。変形部９１、９１（より詳しくは、変形部９１、９１の上端）からはそれぞれ、バネ部材９３が上方に向かって延びていて、このバネ部材９３は、若干外側に凸となるように内側に湾曲して上方に延び、上端部で外側（幅方向外側）に反転するように湾曲し、先端部９５がリテーナー本体７７の側端よりも多少外側に突出するように形成されている。先端部９５はそれぞれ、外壁部８５の両端部近くに位置している。フック７９は、変形部９１の先端（下側）に一体的に形成され、内側にL字状に屈曲している。
【００２１】
このような構成のリテーナー５は、バネ部材９３の先端部９５が、ガイド溝５７内に入り込んで支持段部５９に当接又は接触し、脚部７５、７５の先端部とフック７９、７９とが、第１突部６３、６３を上下方向から挟んで第１位置決め係合部６９と係合し、挿入位置に位置決めされるように、上面開口からリテーナー取り付け部２５内に嵌め込まれている。リテーナー５をリテーナー取り付け部２５内に嵌め込むと、フック７９、７９が、第１突部６３、６３の上面に当接するが、ここで、リテーナー５を強く押し込むと、フック７９、７９は外側に開くように変形し、第１突部６３、６３を通過する。このようにして、脚部７５、７５の先端部とフック７９、７９とが、第１の位置決め係合部６９を幅方向両側から挟み込んであるいは挟んでこの第１の位置決め係合部６９と係合する。ここでは、パイプ体係合部７３の上側半分がリテーナー取り付け部２５の上面開口から上方に突出している（図５も参照）。
【００２２】
クイックコネクタ１に、リテーナー取り付け部２５の軸方向他方側壁部５３の挿入孔５５（環状係合突部８３の外径よりも若干大きい内径を有する）から挿入されて嵌め付けられたパイプ体８１は例えば金属製であり、直管状の挿入側部９７の軸方向一方側が、外周面に環状係合突部８３を有する挿入端部９９として構成されていて、環状係合突部８３が、変形部９１と当接してリテーナー５の脚部７５、７５の間隔を押し広げながら進行し、内側突出部８７の軸方向一方側で、外壁部８５内に収まって（接続位置）パイプ体係合部７３とスナップ係合し、挿入端部９９が全長にわたってコネクタハウジング３のパイプ挿入部１１内に収容されるまでクイックコネクタ１あるいはコネクタハウジング３に押し込まれている。パイプ体８１の挿入端部９９の軸方向一端（挿入側端）は、第２のＯリング３３及び第１のＯリング３１を通過して連絡部２９内に達していて、パイプ体８１あるいはパイプ体８１の挿入端部９９とクイックコネクタ１との間はこの第１及び第２のＯリング３１、３３により密封され、パイプ体８１の挿入端部９９の環状係合突部８３よりも軸方向一方側は、パイプ体８１の挿入端部９９の外径とほぼ同一の内径を有する樹脂ブッシュ３７及び連絡部２９内にガタが生じないように挿入されている。
【００２３】
図５はパイプ体８１の挿入にともなうリテーナー５の変位状態を説明するための図であり、リテーナー５を挿入位置に配置するまでを示す図、図６はパイプ体８１の挿入にともなうリテーナー５の変位状態を説明するための図であり、リテーナー５の下降開始までを示す図、図７はパイプ体８１の挿入にともなうリテーナー５の変位状態を説明するための図であり、リテーナー５が係合位置に変位するまでを示す図である。
【００２４】
リテーナー５が上面開口からリテーナー取り付け部２５内に嵌め込まれ（図５a）、挿入位置に配置されている（図５b）ときには、一対の脚部７５、７５（より詳しくは、脚部７５の軸方向他方側）は、内面の中心が挿入孔５５及び連絡孔４７の中心と一致するように位置していて、パイプ体８１の環状係合突部８３を通過させる状態となっている。しかしながら、脚部７５の変形部９１の内面は内側に傾斜又は湾曲しているので、挿入されたパイプ体８１の環状係合突部８３は変形部９１の内面と当接し、進行にともなって変形部９１を外側に開き変形させる。そうすると、環状係合突部８３が内側突出部８７を越える位置まで進行したときには、脚部７５、７５及びフック７９、７９は、脚部７５、７５の先端部及びフック７９、７９と第１の位置決め係合部６９との係合が解除されるように外側に開き変形している（図６ａ：変形部９１は内側突出部８７よりも軸方向一方側に延びている）。ここでは、バネ部材９３は、先端部９５が支持段部５９に規制されて変形し、リテーナー本体７７を下側に付勢するバネ力を作用させている。しかも、脚部７５、７５の弾性復帰力も加わるので、環状係合突部８３が内側突出部８７を越えた接続位置に達すると、リテーナー本体７７又はリテーナー５は、バネ部材９３の先端部９５をガイド溝５７に沿ってスライドさせ、かつ、脚部７５の先端部内面を第１突部６３の側面上でスライドさせながらフック７９を開いたままで下降していく（図６b及び図６ｃ）。そして、脚部７５が第１突部６３から外れると、脚部７５、７５の先端部内面は、位置決め係合部材６１の突起状部６５から第２突部６７にかけての部分の側面を挟み込んでこの側面と接触する（図７ａ：図７ａは接触前の状態を示す）。フック７９は、脚部７５が第１突部６３から外れるときには、閉じ変形により第２突部６７の下側に入り込める状態で、例えば第２突部６７よりも外側に、位置している。位置決め係合部材６１の突起状部６５から第２突部６７にかけての側面が、下側に向かって内側に傾斜していることなどによって、リテーナー本体７７に対して移動を停止させるだけの抵抗は作用しない。したがって、リテーナー５は途中で停止することなく、脚部７５、７５の先端部及びフック７９、７９が、第２突部６７、６７を上下方向から挟み、第２の位置決め係合部７１を幅方向両側から挟み込んであるいは挟んで第２の位置決め係合部７１と係合するまで下降して係合位置に位置決めされることとなる（図７ｂ）。係合位置では、リテーナー５はリテーナー取り付け部２５内に埋没している。なお、リテーナー５を付勢するバネ部材を、リテーナー取り付け部２５の側壁部５１内面に形成してもよい。
【００２５】
リテーナー５を、脚部７５の先端部及びフック７９と第２突部６７との係合を解除して挿入位置又は挿入位置側に戻すことにより、パイプ体８１を引き抜くことができるし、リテーナー５を上面開口よりリテーナー取り付け部２５から取り外して、パイプ体８１を引き抜いてもよい。
【産業上の利用可能性】
【００２６】
本発明のクイックコネクタを、例えば、自動車の燃料配管接続に用いれば、信頼性の高い配管接続をスムーズに構成できる。
【図面の簡単な説明】
【００２７】
【図１】本発明に係るクイックコネクタの分解斜視図である。
【図２】コネクタハウジングの断面図である。
【図３】クイックコネクタの断面図である。
【図４】クイックコネクタ及びパイプ体を接続した状態の断面図である。
【図５】パイプ体の挿入にともなうリテーナーの変位状態を説明するための図であり、リテーナーを挿入位置に配置するまでを示す図である。
【図６】パイプ体の挿入にともなうリテーナーの変位状態を説明するための図であり、リテーナーの下降開始までを示す図である。
【図７】パイプ体の挿入にともなうリテーナーの変位状態を説明するための図であり、リテーナーが係合位置に変位するまでを示す図である。
【符号の説明】
【００２８】
１                      クイックコネクタ
３                      コネクタハウジング
５                      リテーナー
９                      チューブ接続部
６９                    第１の位置決め係合部
７１                    第２の位置決め係合部
７５                    脚部
７７                    リテーナー本体
７９                    フック（位置決めストッパ部）
８１                    パイプ体
８３                    環状係合突部
９３                    バネ部材（移動手段）
【図１】
2006316944.tif 000003
【図２】
2006316944.tif 000004
【図３】
2006316944.tif 000005
【図４】
2006316944.tif 000006
【図５】
2006316944.tif 000007
【図６】
2006316944.tif 000008
【図７】
2006316944.tif 000009